(57)【要約】【課題】  湿度が高く、湯気や水しぶきなどで濡れるおそれがあり、かつ破損や落下によりけがをしてしまうおそれのあるユニットバスにおいて、気軽に絵画や写真などの掲示物を展示でき、また掲示物を損ねることなく長期間にわたって楽しむことのできる、掲示物の取り替えも容易なユニットバスの壁画システムを提供する。【解決手段】  防水処理を施したシート状掲示物２を、ユニットバス１の壁面に対して繰り返し取付けおよび取外し可能な貼着手段４を用いて展示する。掲示物２は、周囲を保持する枠体３１１および背面側を保護する裏面カバー材３２を備えた保持枠３に収められて、壁面に展示されてもよい。【選択図】  図１
0003111724.tif 000002
【実用新案登録請求の範囲】
【請求項１】
ユニットバスの壁面を構成する壁面パネルに、あらかじめ画像が印刷されてなるユニットバスの壁画システム。
【請求項２】
ユニットバスの壁面を構成する壁面パネルに、シート状掲示物の周囲を保持して展示しうる保持枠が内蔵されたことを特徴とするユニットバスの壁画システム。
【請求項３】
防水処理を施したシート状掲示物を、壁面に対し繰り返し取付けおよび取外し可能な貼着手段を用いて、ユニットバスの壁面に展示することを特徴とするユニットバスの壁画システム。
【請求項４】
掲示物は、合成樹脂フィルムからなる薄膜状の印刷シートに画像を印刷することによって防水処理がなされていることを特徴とする請求項２または３に記載のユニットバスの壁画システム。
【請求項５】
掲示物の防水処理は、掲示物の表裏両面をラミネートフィルムによって被覆することによりなされることを特徴とする請求項２または３に記載のユニットバスの壁画システム。
【請求項６】
掲示物は合成樹脂製の保持枠の内側に収容されて展示され、この保持枠は掲示物の周囲を保持する枠体および掲示物の背面を保護する裏面カバー材を備え、前記枠体と裏面カバー材との間に設けられたスリットから掲示物を挿入しうるように形成されていることを特徴とする請求項３〜５のいずれかに記載のユニットバスの壁画システム。
【請求項７】
保持枠の裏面カバー材の背面側に、貼着手段として複数個の吸着盤が備えられたことを特徴とする請求項６に記載のユニットバスの壁画システム。
【考案の詳細な説明】
【技術分野】
【０００１】
本考案は、絵画や写真等の画像を眺めながらの入浴を可能にするユニットバスの壁画システムに関する。
【背景技術】
【０００２】
住宅における浴室は、ユニット化された浴槽設備からなる、いわゆるユニットバスが採用されていることが多く、特にマンション等の集合住宅の場合には窓のない構造であることが多いため、非常に殺風景なものである。しかし近年では、入浴によって体を清潔にするだけではなく、一日の疲れをほぐしたり、リラックスしたりするための手段とする人が増えており、入浴が楽しみのひとつとして捉えられるようになってきている。また、最近では健康志向も相まって、半身浴をしながら長時間湯船につかるということも一般的になってきている。
【０００３】
ところが、前記のように住宅の浴室には窓がなく殺風景な室内であることが多いため、長時間の入浴時には退屈であり、できれば美しい絵画や風景写真を壁面に飾り、それを眺めながら入浴したいという要望があった。しかしながら、浴室は高温多湿であって、湯気や水しぶきなどで絵画や写真が濡れるおそれがあり容易に飾ることができず、また、破損や落下によりけがをしてしまうおそれもあるので、居間に飾るのと同じように絵画等を浴室に飾ることはできなかった。また、賃貸契約の住宅では室内を改装することが規制されている場合が多く、浴室の壁面を飾りたくても壁面に傷を付けることができないという、種々の問題点があった。
【０００４】
このような浴室の壁面を絵画等で装飾する方法として、例えば特許文献１に記載されているように、複数枚のタイル状の透明プラスチック板に、プラスチック１枚分の大きさ毎に分割された図柄をホットスタンプ印刷により施し、印刷面に両面テープを貼着して形成されたプラスチックタイルが提案されている。この種のプラスチックタイルは、背面に記載された配列符号順に、壁面の陶器製タイルの表面に貼り並べていくことで、壁画を形成することができるように構成されている。
【特許文献１】実開平６−２０７１７号公報
【考案の開示】
【考案が解決しようとする課題】
【０００５】
上記のようなプラスチックタイルによる壁面の装飾方法では、プラスチック板に印刷された図柄に飽きて交換したい場合には、それらのプラスチック板を剥がし取り、別の図柄が描かれたプラスチック板に貼り替えることがなされる。その場合、浴室壁面の陶器製タイルの表面に両面テープが残存して付着することもあり、シンナーやベンジン等の溶剤を使って付着物を除去しなければならず手間であった。
【０００６】
また、かかるプラスチック板の製造は専用の印刷装置を必要とし、個人で行えるものではないので、好みの図柄が描かれたプラスチック板をあらかじめ用意しておかなければ図柄を取り替えることができない。さらに、図柄の交換は、入浴時の気分に応じて気軽に行えることが望ましいが、かかるプラスチックタイルでは、その取り替え作業も大がかりとなってしまい、簡単に図柄を取り替えるというようなことはできないものであった。
【０００７】
そこで本考案は、上記のような問題点にかんがみてなされたものであり、湿度が高く、湯気や水しぶきなどで濡れるおそれがあり、かつ破損や落下によりけがをしてしまうおそれのあるユニットバスにおいて、気軽に絵画や写真などを楽しむことができ、また好みの掲示物を展示して、その掲示物を損ねることなく長期間にわたって楽しむことができるユニットバスの壁画システムを提供し、さらに、入浴する人の好みに応じて掲示物の取り替えも容易に行うことのできるユニットバスの壁画システムを実現するものである。
【課題を解決するための手段】
【０００８】
上記した目的を達成するため、本考案に係るユニットバスの壁画システムは、ユニットバスの壁面を構成する壁面パネルに、あらかじめ画像が印刷されてなることを特徴としている。
【０００９】
本考案において、画像は好みの絵画や風景写真などが好ましく、ユニットバスの湯船につかりながら眺められる高さ位置に前記画像が適宜の印刷方法により印刷されて、住宅のユニットバスを構成するようになされている。これにより、殺風景になりがちなユニットバスを豊かなものにして、入浴をより一層楽しめるようにすることができる。
【００１０】
また、本考案に係るユニットバスの壁画システムは、ユニットバスの壁面を構成する壁面パネルに、シート状掲示物の周囲を保持して展示しうる保持枠が内蔵されたことを特徴としている。
【００１１】
また、本考案に係るユニットバスの壁画システムは、防水処理を施したシート状掲示物を、壁面に対し繰り返し取付けおよび取外し可能な貼着手段を用いて、ユニットバスの壁面に展示することを特徴とすることを特徴としている。
【００１２】
これらの考案により、ユニットバスの壁面に好みの絵画や写真等が描かれた掲示物を容易に展示することができ、かかる掲示物を眺めながら入浴を楽しむことが可能になる。
【００１３】
さらに、本考案は上記構成のユニットバスの壁画システムにおいて、掲示物が合成樹脂フィルムからなる薄膜状の印刷シートに画像を印刷することによって形成され、これにより防水処理となされていることを特徴とする。また、前記掲示物の防水処理は、掲示物の表裏両面をラミネートフィルムによって被覆することによりなされてもよい。
【００１４】
かかる掲示物の防水処理により、湿度が高く、掲示物が濡れるおそれのあるユニットバスにおいても、展示した掲示物を損ねることがなく、長期間にわたって掲示物を楽しむことができる。
【００１５】
また、本考案に係るユニットバスの壁画システムは、掲示物の保護と意匠性を考慮して、掲示物が合成樹脂製の保持枠の内側に収容されて展示され、この保持枠は掲示物の周囲を保持する枠体および掲示物の背面を保護する裏面カバー材を備え、前記枠体と裏面カバー材との間に設けられたスリットから掲示物を挿入しうるように形成された構成であってもよい。
【００１６】
このように構成されることにより、掲示物を見栄えよくユニットバスの壁面に展示することができる。さらに保持枠は合成樹脂製であるので軽量であり、落下しても破損したりけがをしたりするおそれが極めて低く、安全性を高めることができる。また、掲示物はスリットから挿入するだけで保持枠に収めることができるので、容易に掲示物を取り替えることも可能になる。
【００１７】
前記貼着手段については、保持枠の裏面カバー材の背面側に、保持枠を壁面に貼着する手段として、複数個の吸着盤が備えられた構成であることが好ましい。これによると、安全性を確保しつつ、壁面への掲示物の取付けおよび取外しを容易に行うことができる。
【考案の効果】
【００１８】
上述のように構成される本考案のユニットバスの壁画システムによれば、湯気や水しぶきなどで濡れるおそれのある壁面に絵画等の掲示物を展示することができ、破損や落下によっても掲示物を損傷したりけがをしたりするおそれがない。また、ユニットバスの壁面パネルに保持枠を内蔵したり、保持枠を貼着させたりすることで、展示した掲示物を他の掲示物に容易に取り替えることができるようになり、入浴時に気軽に掲示物を取り替えて眺めることができ、入浴をより一層楽しむことができる。
【考案を実施するための最良の形態】
【００１９】
以下、本考案に係るユニットバスの壁画システムを実施するための最良の形態について説明する。本考案は、殺風景になりがちなユニットバスにおいて、絵画や写真等を傷めることなく壁面に展示して入浴しながら眺められるようにするものである。
【実施例１】
【００２０】
この実施例１では、ユニットバスの壁面を構成する壁面パネルに、あらかじめ画像が印刷されてなる壁画システムについて説明する。
【００２１】
ユニットバスの壁面は、通常、室内側の化粧板の裏側に裏ボードを一体化した壁面パネルが建て込まれて形成されている。本実施例では、かかる壁面パネルのうち、浴槽の正面位置に建て込まれる壁面パネルの化粧板の表面側に、絵画または写真等の画像をシルクスクリーン印刷によって印刷する。画像を印刷する高さ位置は、例えば、浴槽の上部であって、浴槽に身を沈めたときに眺めやすい高さとなることが好ましい。また、画像は一箇所に印刷されるに限らず、複数の壁面パネルに印刷されてユニットバスの複数箇所に壁画として形成されてもよい。
【００２２】
この実施例１に係る壁画システムでは、住宅に浴室を設けたり、浴室をリフォームしたりする際に、あらかじめ好みの絵画や写真を選択して、浴室に搬入されるユニットバスの壁面に壁画を形成しているので、殺風景になりがちなユニットバスを豊かなものにして、入浴をより一層楽しめるようにすることができる。また、絵画や写真等の画像は壁面パネルに印刷されているので、損傷したり、それによってけがをしたりするおそれもなく、長期間にわたって楽しむことができる。
【００２３】
なお、画像の印刷方法はシルクスクリーン印刷に限定されず、壁面パネルの材質により適宜の手法が選択され、例えばオフセット、グラビア、電子的処理による転写法など、どのような印刷方法であってもよい。
【実施例２】
【００２４】
次に、本考案に係るユニットバスの壁画システムの実施例２について説明する。この実施例２では、ユニットバスの壁面を構成する壁面パネルに、シート状掲示物の周囲を保持して展示しうる保持枠が内蔵された構成の壁画システムについて説明する。
【００２５】
本実施例では、ユニットバスの壁面パネルのうち、浴槽の正面位置に建て込まれる壁面パネルの室内側表面に、あらかじめ保持枠が設けられている。内蔵された保持枠の高さ位置は、前記実施例１と同様、浴槽の上部で入浴時に眺めやすい高さとなるように形成されることが好ましい。
【００２６】
かかる形態において、展示する絵画や写真等は、紙または合成樹脂フィルム等のシート状物に印刷された掲示物であることが好ましい。さらに、このような掲示物の表裏両面をラミネートフィルムによって被覆するなどして、防水処理がなされていることが好ましい。
【００２７】
壁面パネルに内蔵される保持枠は、掲示物の周囲を保持する枠体が、壁面パネルに形成された凹部に一体に取り付けられて形成されている。また、これらの枠体と凹部との間には、スリットが設けられており、このスリットから掲示物を挿入したり、引き出したりすることができるようになっている。また、枠体の内側にはアクリル板等の表面カバー材が嵌め込まれていてもよい。
【００２８】
このように、ユニットバスの壁面パネルに掲示物の保持枠があらかじめ内蔵されていることによって、好みの掲示物を簡単に展示することができ、また掲示物の取り替えも容易に行うことができる。また、このように保持枠が内蔵されていることによって、落下や破損のおそれがなくなり、高い安全性のもと、絵画や写真等の掲示物を入浴中に楽しむことができるようになる。
【実施例３】
【００２９】
次に、本考案に係るユニットバスの壁画システムの実施例３について説明する。図１は、本考案のユニットバスの壁画システムの一例を示す斜視図である。この実施例３に係るユニットバスの壁画システムは、防水処理を施したシート状掲示物２を、ユニットバス１の壁面に展示するためのシステムである。
【００３０】
例示の形態において、掲示物２には絵画や写真等の画像が印刷されており、保持枠３に収容されている。保持枠３は、合成樹脂製であり、表面カバー材３１と裏面カバー材３２を備えて形成されている。
【００３１】
表面カバー材３１は、掲示物２の周囲を縁取り、掲示物２を保持する枠体３１１と、この枠体３１１の内側に嵌め込まれた防水性を有する透明防水板３１２とからなり、掲示物２の表面を保護するように構成されている。
【００３２】
枠体３１１は、掲示物２の額縁となりうる矩形状となされ、角隅部は曲面で形成されている。また、透明防水板３１２は、透明な普通板ガラス、あるいは強度および安全性を有する強化ガラスであってもよいが、破損のおそれが低く軽量なアクリル板等の透明合成樹脂製板を用いることが好ましい。裏面カバー材３２は、表面カバー材３１の背面に設けられ、掲示物２の裏面を保護しうるように構成されている。そして、これらの表面カバー材３１と裏面カバー材３２とは互いに水密に接合されて一体となされている。
【００３３】
このように保持枠３は、合成樹脂により形成されているため、軽量であり、破損しにくく、万一の落下があっても角隅部が曲面で形成されていることから、けがをするおそれが極めて低く、ユニットバス１に使用するにあたって安全性を高めることができる。
【００３４】
また、例示した保持枠３の側面にはスリット３３が設けられており、このスリット３３から、表面カバー材３１と裏面カバー材３２との間に掲示物２を横方向に挿入して収めることができるように構成されている。
【００３５】
このように保持枠３の側面にスリット３３が設けられているので、掲示物２を取り替える際に保持枠３を分解して掲示物２を入れ替える必要がなく、内側に収容された掲示物２をスリット３３から引き出し、新たな掲示物２をスリット３３に挿入するだけで簡単に済ませられる。そして、このような保持枠３によって、掲示物２が見栄えよく保持され、その内側で保護されている。
【００３６】
かかる構成の保持枠３は、壁面に対し繰り返し取付けおよび取外し可能な貼着手段を用いて、ユニットバス１の壁面に貼着される。例示の保持枠３は、裏面カバー材３２の背面側に複数個の吸着盤４が備えられている。吸着盤４は、平滑なユニットバス１の壁面に吸着可能であり、少なくとも裏面カバー材３２上部の角隅部近傍の２箇所に備えられていることが好ましい。これにより、ユニットバス１の壁面に保持枠３を安定して取り付けることができる。
【００３７】
保持枠３の内側に収容される掲示物２は、前記構成の保持枠３によって保護されているが、高い湿度にも耐えうるように、適宜、防水処理がなされていることが好ましい。防水処理の方法としては、例えば、掲示物２の表裏両面をラミネートフィルムによって被覆することにより、掲示物２に防水機能をもたせ、保護する方法があげられる。
【００３８】
また、掲示物２を防水処理する方法として、前記のほかに、合成樹脂フィルム等からなる０．１〜０．５ｍｍ程度の厚さの薄膜状印刷シートに、絵画や写真等の画像を印刷することによって掲示物２を形成し、この合成樹脂フィルムの防水性により防水機能をもたせることも可能である。このように、掲示物２に防水処理を施すことによって、掲示物２の耐久性が増し、ユニットバス１内の湯気や水しぶきによっても破損することなく、長期間にわたって掲示物２を楽しむことができるようになる。
【００３９】
なお、本考案における貼着手段としては、前記の吸着盤４のほかにも、ユニットバス１の壁面に対して繰り返し取付けおよび取外し可能なものであれば、どのような手段を用いてもよい。例えば、防水性および剥離性を有する両面テープを用いてもよい。また、掲示物２が、合成樹脂フィルム等の薄膜シート状のものである場合には、掲示物２の裏面に薄く水糊を塗布し、ユニットバス１の壁面に直接貼り付けるようにしても差し支えない。また、ユニットバス１の壁面に、あらかじめ略Ｊ字状のフック等からなる引掛部材が設けられているような場合には、その引掛部材に掛止しうるリングを、保持枠３の裏面カバー材３２の背面側上部に取り付けて、掲示物２の貼着手段としてもよい。
【００４０】
また、上記貼着手段として吸着盤４を用いる場合、吸着盤４の形態によっては防水処理した掲示物２を保持枠３に収めずにそのままの状態で吸着盤４により壁面に貼着させることもできる。すなわち例えば、画鋲等のピンや、磁石またはクリップ等からなるシート状掲示物２の挟持部材が備えられた構成の吸着盤４を貼着手段とすれば、ラミネートフィルムによって防水処理した掲示物２をそのまま吸着盤４に保持させて、ユニットバス１の壁面に展示することが可能である。
【００４１】
以上のように構成されるユニットバスの壁画システムにより、好みの絵画や写真等の掲示物２を簡単にユニットバス１の壁面に飾り、掲示物２を眺めながら湯船１１につかることができるようになる。また、かかるシステムによれば、掲示物２を交換したい場合にも掲示物２を容易に取り替えることができ、入浴時の気分によって気軽に絵画や写真等を楽しむことができる。さらに、本考案の壁画システムは、住宅の浴室以外にも、湿度が高く濡れるおそれのある室内プール等にも転用することができる。
【図面の簡単な説明】
【００４２】
【図１】本考案に係るユニットバスの壁画システムの一例を示す斜視図である。
【符号の説明】
【００４３】
１      ユニットバス
１１    湯船
２      掲示物
３      保持枠
３１    表面カバー材
３１１  枠体
３１２  透明防水板
３２    裏面カバー材
３３    スリット
４      吸着盤（吸着手段）
【図１】
0003111724.tif 000003